(57)【要約】【課題】元節からの脱落が防止され、石突として機能する尻栓の提供。【解決手段】この尻栓１０は、主栓部１５及びフランジ１６を備える。主栓部１５が元節にねじ込まれ、フランジ１６の周縁３０が元節に挿入される。フランジ１６の周縁３０に溝３１が均等に配置されている。溝３１の内壁面３２は、円弧状の曲面である。フランジ１６にパッド１２が設けられている。パッド１２の後端面２８は、フランジ１６の中心を頂点とする曲面である。パッド１２は樹脂からなり、フランジ１６は金属からなる。【選択図】図１
2019097507.tif 000002
【特許請求の範囲】
【請求項１】
元節の後端部の内側に軸方向に沿って螺合される主栓部と、
当該主栓部の端部に形成されたフランジ部と、
当該フランジ部の周縁に設けられた複数の係合部とを有し、
当該係合部は、上記軸方向に延び且つ上記フランジ部の端面に開口する溝である尻栓。
【請求項２】
上記フランジ部は円盤状を呈し、
上記溝の内壁面は、上記フランジ部の径方向に凹む円弧を成す曲面である請求項１に記載の尻栓。
【請求項３】
上記溝は、上記フランジ部の周方向に沿って均等に配置されている請求項１又は２に記載の尻栓。
【請求項４】
上記フランジ部の端面にパッド部材が設けられており、当該パッド部材の端面は、上記フランジ部の端面より外方に突出している請求項１から３のいずれかに記載の尻栓。
【請求項５】
上記フランジ部の端面に露出する上記パッド部材の端面は、上記フランジ部の中心を頂点とする曲面である請求項４に記載の尻栓。
【請求項６】
上記フランジ部は金属からなり、上記パッド部材は樹脂からなる請求項４又は５に記載の尻栓。
【発明の詳細な説明】
【技術分野】
【０００１】
この発明は、釣竿の後端に装着される尻栓の構造に関するものである。
【背景技術】
【０００２】
釣竿は一般に複数のブランクを有し、それらが軸方向に継がれることにより所定長さの釣竿が構成される。各ブランクは、釣竿の先端側から順に第１番節、第２番節と称され、最も後端側のブランクは元節と称される。ブランクの継ぎ形式はさまざまであるが、テレスコピックを構成する振出式と称される継ぎ形式の場合、元節の後端に尻栓が装着される（たとえば、特許文献１参照）。尻栓は、一般に元竿の後端部に螺合され、着脱自在となっている。尻栓が元節に装着されることにより、釣竿の収納状態において元節以外の節の後端が当該尻栓に当接する。尻栓が元節から取り外されると、各節が元節の後端から引き抜かれ、各節の清掃等のメンテナンスが可能となる。
【先行技術文献】
【特許文献】
【０００３】
【特許文献１】特開２００８−２００００３号公報
【発明の概要】
【発明が解決しようとする課題】
【０００４】
ところで、尻栓は、釣竿のアクセサリーとして重要な部品である。すなわち、釣竿の装飾効果を発揮すると共に、釣り場において釣竿が立て掛けられる場合、尻栓が元節を保護する石突として機能する。したがって、尻栓は、石突として機能するために、実釣において容易に元節から脱落しない構造であることが要請される。しかも、尻栓は、釣竿の装飾品として機能するために、容易に傷等がつかない構造であることも同時に要請される。
【０００５】
そこで、本発明の主目的は、元節からの脱落防止構造を備え、石突として機能する尻栓を提供することである。さらに、本発明の他の目的は、損傷防止構造を備え、高い装飾機能を維持することができる尻栓を提供することである。
【課題を解決するための手段】
【０００６】
(1) 本発明に係る尻栓は、元節の後端部の内側に軸方向に沿って螺合される主栓部と、当該主栓部の端部に形成されたフランジ部と、当該フランジ部の周縁に設けられた複数の係合部とを有する。当該係合部は、上記軸方向に延び且つ上記フランジ部の端面に開口する溝である。
【０００７】
この構成によれば、主栓部が元節の後端部にねじ込まれることにより、フランジ部は、元節の後端部に挿入されつつ当該元節の後端から露出するように配置され得る。フランジ部が元節から露出することにより、この尻栓は、当該釣竿の石突として機能する。しかも、フランジ部が元節の内部に配置されることにより、実釣において当該尻栓が緩んで元節から脱落することが防止される。加えて、フランジ部の周縁に軸方向に延びる溝が形成されているから、当該フランジ部が元節内に配置されたとしても、上記溝に所要の工具が係合されることにより、当該尻栓は容易に着脱される。
【０００８】
(2) 上記フランジ部は円盤状を呈し、上記溝の内壁面は、上記フランジ部の径方向に凹む円弧を成す曲面であるのが好ましい。
【０００９】
この構成では、フランジ部の形状がシンプルで尻栓の構造が簡略化される。しかも、上記溝の形状もシンプルであり、尻栓の製造コストが抑えられる。
【００１０】
(3) 上記溝は、上記フランジ部の周方向に沿って均等に配置されているのが好ましい。
【００１１】
この構成では、上記工具を上記溝に係合させる操作が簡単になる。また、当該溝が尻栓の見栄えを向上させる。
【００１２】
(4) 上記フランジ部の端面にパッド部材が設けられており、当該パッド部材の端面は、上記フランジ部の端面より外方に突出しているのが好ましい。
【００１３】
この構成では、パッド部材により上記フランジ部が直接に釣り場（たとえば岩礁）と接触することが防止される。したがって、フランジ部の損傷が回避され、尻栓の装飾機能が維持される。
【００１４】
(5) 上記フランジ部の端面に露出する上記パッド部材の端面は、上記フランジ部の中心を頂点とする曲面であるのが好ましい。
【００１５】
この構成では、パッド部材も傷がつきにくくなる。したがって、尻栓の装飾機能が一層維持される。
【００１６】
(6) 上記フランジ部は金属からなり、上記パッド部材は樹脂からなるのが好ましい。
【００１７】
この構成によれば、尻栓の装飾的効果が一層発揮される。
【発明の効果】
【００１８】
この発明によれば、尻栓は元節からの脱落が防止され、石突として機能する。また、損傷防止構造を備えるから、高い装飾機能が維持される。
【図面の簡単な説明】
【００１９】
【図１】図１は、本発明の一実施形態に係る尻栓１０の外観斜視図である。
【図２】図２は、本発明の一実施形態に係る尻栓１０の外観斜視図である。
【図３】図３は、本発明の一実施形態に係る尻栓１０の正面図である。
【図４】図４は、本発明の一実施形態に係る尻栓１０の右側面図である。
【図５】図５は、本発明の一実施形態に係る尻栓１０の左側面図である。
【図６】図６は、本発明の一実施形態に係る尻栓１０の縦断面図である。
【発明を実施するための形態】
【００２０】
以下、本発明の好ましい実施形態が、適宜図面が参照されながら説明される。なお、本実施の形態は、本発明に係る尻栓の一態様にすぎず、本発明の要旨を変更しない範囲で実施態様が変更されてもよいことは言うまでもない。
【００２１】
図１及び図２は、本発明の一実施形態に係る尻栓１０の外観斜視図である。
【００２２】
この尻栓１０は、釣竿を構成する元節の後端に装着される。尻栓１０は、尻栓本体１１と、これに取り付けられたパッド１２（特許請求の範囲に記載された「パッド部材」に相当）と、キャップ１３とを備えている。後に詳述されるが、尻栓本体１１に雄ネジ１４が形成されており、この雄ネジ１４が上記元節の後端部の内壁に形成された雌ネジと螺合することにより、尻栓１０が上記元節に装着される。同図では示されていないが、尻栓１０が上記元節に装着された状態で、尻栓１０は、上記元節の後端部の内側に収容され、パッド１２が当該後端部から露出する。
【００２３】
図３〜図５は、順に尻栓１０の正面図、右側面図、左側面図であり、図６は、尻栓１０の縦断面図である。
【００２４】
図１乃至図３が示すように、尻栓本体１１は、主栓部１５及びフランジ１６（特許請求の範囲に記載された「フランジ部」に相当）と、Ｏリング１７とを有する。主栓部１５及びフランジ１６は金属（典型的にはアルミニウム合金）からなり、一体的に形成されている。なお、主栓部１５及びフランジ１６は、樹脂により成形されていてもよい。
【００２５】
図１及び図６が示すように、主栓部１５は、円筒状を呈する。主栓部１５の外周面に上記雄ネジ１４が形成されている。主栓部１５の先端部１８に雄ネジ１４は形成されておらず、当該先端部１８は縮径され、段部１９が形成されている。主栓部１５の外径は特に限定されるものではなく、上記元節の後端部の内径に対応して適宜設計される。また、主栓部１５の内径も特に限定されないが、主栓部１５の内径が大きく設定されることにより、尻栓１０が軽量化される。
【００２６】
主栓部１５の後端部にフランジ１６が一体的に形成されている。このフランジ１６と主栓部１５との境界に、当該主栓部１５の外周面を周回する溝が形成されている。この溝に上記Ｏリング１７が嵌め込まれている。このＯリング１７は、剛性ゴム等から構成され、汎用品が採用される。
【００２７】
フランジ１６は、円盤状に形成されている。フランジ１６の外径は特に限定されるものではなく、主栓部１５の外径に対応して適宜設計される。ただし、主栓部１５にＯリング１７が装着された場合に、当該Ｏリング１７の外径よりもフランジ１６の外径が大きくなるように設定される。フランジ１６の肉厚Ｂは、本実施形態では４．３ｍｍに設定されている。ただし、フランジ１６は、前述のように元節の後端部に収容されるものであるから、肉厚Ｂは、２．０ｍｍ〜１０．０ｍｍの範囲で適宜設定され得る。フランジ１６の角部に面取加工が施されている。本実施形態ではＲ面加工が施されているが、Ｃ面加工であってもよいし、面取加工が省略されてもよい。
【００２８】
フランジ１６の後端面２０（特許請求の範囲に記載された「フランジ部の端面」に相当）に円形の凹部２１が設けられている。この凹部２１は、大径部２２と小径部２３とを有しており、これらは軸方向２４（図６において、尻栓１０の中心軸２５に沿う方向）に沿って連続している。大径部２２は、フランジ１６の後端面２０に開口している。大径部２２の内径は、軸方向２４の後端側から先端側に向かって漸次縮径されている。つまり、大径部２２の内壁面形状は、台形状を呈する。小径部２３は、大径部２２に連続し、軸方向２４の先端側へ延びている。小径部２２は底面２６を有し、この底面２６は、円形の平坦面である。凹部２１の深さＤ（後端面２０から底面２６までの距離）は、特に限定されるものではないが、本実施形態では１．５ｍｍ程度に設定される。
【００２９】
図１及び図４が示すように、フランジ１６の周縁３０に複数の溝３１（特許請求の範囲に記載された「係合部」に相当）が設けられている。この溝３１は、フランジ１６の周方向に均等に６カ所に配置されている。各溝３１は、フランジ１６の後端面２０に開口し、軸方向２４に延びている。本実施形態では６つの溝３１が設けられているが、溝３１の数は特に制限されることはなく、２つ以上であればよい。溝３１の内壁面３２は、円弧を成す曲面である。本実施形態では、内壁面３２の曲率半径は１．２５ｍｍに設定されており、フランジ１６の径方向に凹んでいる。上記内壁面３２の曲率半径は、０．５ｍｍ〜５．０ｍｍの範囲で適宜設定され得る。なお、溝３１の内壁面３２の形状は、円弧状の曲面に限定されるものではなく、たとえば、矩形状に形成されていてもよい。
【００３０】
図１、図４、図６が示すように、パッド１２は、円盤状を呈し、樹脂（典型的にはポリプロピレン（ＰＰ）、ポリアミド（ＰＡ）、ポリオキシメチレン（ＰＯＭ）、アクリロニトリルブタジエンスチレン共重合体（ＡＢＳ））又は金属から構成される。パッド１２は、先端面２７及び後端面２８（特許請求の範囲に記載された「パッド部材の端面」に相当）を有し、先端面２７は平面であり、後端面２８は、外方に膨出する曲面である。パッド１２の外径は、凹部２１の小径部２３の内径に対応している。パッド１２の後端面２８の中心２９は上記中心軸２５と一致し、先端面２７を基準として、上記中心２９の位置においてパッド１２の高さが最大となる。パッド１２の最大高さは、凹部２１の深さＤよりも大きく設定されている。このパッド１２は、図６が示すように、凹部２１に嵌め込まれている。具体的には、パッド１２が上記小径部２３に嵌め合わされ、パッド１２の先端面１７が小径部２３の底面２６に固着されている。パッド１２の中心２９は、当該パッド１２の頂点となり、本実施形態では、パッド１２の中心２９は、フランジ１６の後端面２０より０．５ｍｍ〜２．０ｍｍだけ後端側に突出する（図３、図６参照）。
【００３１】
図２、図５、図６が示すように、キャップ１３は、主栓部１５の先端部１８に被せられている。キャップ１３はトレイ状を呈し、アクリロニトリルブタジエンゴム（ＮＢＲ）その他のゴム又は樹脂からなる。もっとも、キャップ１３が金属から構成されていてもよい。キャップ１３は、円形の主板部３３及び立板部３４を有し、これらは一体的に形成されている。立板部３４は、円筒状に形成されており、主板部３３の周縁に連続して立設されている。図６が示すように、立板部３４の内径は、主栓部１５の先端部１８の外径に対応している。この先端部１８に立板部３４が外嵌されることにより、キャップ１３が主栓部１５の先端側に取り付けられる。
【００３２】
主板部３３の中心に貫通孔３５が設けられている。これにより、主板部３３が容易に弾性変形することができる。たとえば、釣竿を構成する各節が振出式にて継がれる場合、釣竿が収納状態のときは、元節以外の各節の後端がキャップ１３に当接する。つまり、キャップ１３は、各節の座として機能する。したがって、キャップ１３がゴムや樹脂から構成されるならば、各節の損傷が防止されるし、上記貫通孔３５が設けられることにより、各節は、キャップ１３に一層ソフトに支持される。もっとも、このキャップ１３は、省略されてもよい。
【００３３】
前述のように、本実施形態に係る尻栓１０の主栓部１５は、元節の後端部にねじ込まれる。主栓部１５にＯリング１７が設けられているから、元節の防水と主栓部１５の緩み止めが行われる。このとき、フランジ１６は、元節の後端部に収容されつつ元節の後端から露出するように配置される。これにより、実釣において尻栓１０が緩んで元節から脱落することが防止される。しかも、図１が示すように、フランジ１６の周縁３０に溝３１が形成されているから、フランジ１６が元節内に収容されたとしても、釣人は、溝３１に所要の工具を引っ掛けることにより、尻栓１０を回して容易に取り外すことができる。また、フランジ１６が元節から露出することにより、上記溝３１が釣竿１０を装飾すると共に、尻栓１０が釣竿の石突として機能する。つまり、釣竿の後端を釣り場に載置したときに、フランジ１６の後端面２０が当接する。
【００３４】
フランジ１６が円盤状を呈し、溝３１の内壁面３２が円弧面であるから、フランジ１６がシンプルな形状となり、尻栓１０の構造が簡略化される。しかも、溝３１の形状もシンプルであり、尻栓１０の製造コストが抑えられる。
【００３５】
溝３１は、フランジ１６周縁３０に均等に配置されているから、工具を使った尻栓１０の着脱作業が簡単になる。また、各溝３１が尻栓１０の見栄えを一層向上させる。
【００３６】
フランジ１６の後端面２０からパッド１２が突出しているので、尻栓１０が石突として機能する場合、パッド１２が釣り場と接触する。つまり、フランジ１６が直接に岩礁等と接触することが防止される。これにより、フランジ１６の損傷が回避され、尻栓１０の装飾機能が維持される。
【００３７】
特に、フランジ１６の後端面２０に露出するパッド１２後端面２８は、フランジ１６の中心２９を頂点とする曲面であるから、パッド１２も傷がつきにくくなる。したがって、尻栓１０の装飾機能が一層維持される。
【００３８】
また、フランジ１６が金属からなり、パッド１２が樹脂から構成されることにより、尻栓１０の装飾的効果は、一層向上する。
【符号の説明】
【００３９】
１０・・・尻栓
１２・・・パッド
１４・・・雄ネジ
１５・・・主栓部
１６・・・フランジ
１８・・・先端部
２０・・・後端部
２１・・・凹部
２２・・・大径部
２３・・・小径部
２４・・・軸方向
２５・・・中心軸
２６・・・底面
２７・・・先端面
２８・・・後端面
２９・・・中心
３０・・・周縁
３１・・・溝
３２・・・内壁面
【図１】
2019097507.tif 000003
【図２】
2019097507.tif 000004
【図３】
2019097507.tif 000005
【図４】
2019097507.tif 000006
【図５】
2019097507.tif 000007
【図６】
2019097507.tif 000008